【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
蒸気タービン発電所の蒸気タービン（３）に供給される蒸気の温度（Ｔ）を維持する方法であって、前記発電所は、循環型流動層ボイラー（１２）をさらに有しており、
該循環型流動層ボイラーは、
炉（１０）と、
熱エネルギーを前記炉の外部の流動層材料から蒸気に移動させることにより、前記蒸気タービン（３）に供給される前記蒸気を過熱するように適合された流動層過熱器（２）と、を含み、
当該方法は、
前記発電所のトリガー負荷（ＷＴＲ）を選択するステップであって、該トリガー負荷（ＷＴＲ）は、前記発電所の最大定格負荷（ＷＦ）よりも小さく、前記発電所の実行可能な最小定格負荷（ＷＭＶ）よりも大きい、選択するステップと、
前記発電所の負荷（Ｗ）を決定するステップと、
前記発電所の前記負荷（Ｗ）が前記トリガー負荷（ＷＴＲ）以上の場合に、前記蒸気タービン（３）に入る過熱蒸気の前記温度（Ｔ）がその最大温度（ＴＦ）に又はその近くになるように、前記流動層過熱器（２）で蒸気を過熱するステップ、及び前記過熱蒸気を前記流動層過熱器（２）から前記蒸気タービン（３）に輸送するステップと、
前記発電所の前記負荷（Ｗ）が前記トリガー負荷（ＷＴＲ）を下回っている場合に、前記流動層過熱器（２）で蒸気を過熱するステップ、前記蒸気タービン（３）に入る過熱蒸気の前記温度（Ｔ）がその最大温度（ＴＦ）に又はその近くになるように、前記炉（１０）の外部の前記流動層材料をさらに加熱するステップであって、前記流動層材料の追加の加熱は、可燃性ガスの燃焼によってもたらされる、さらに加熱するステップ、及び前記過熱蒸気を前記流動層過熱器（２）から前記蒸気タービン（３）に輸送するステップと、を含む、
方法。
【請求項２】
前記流動層材料の追加の加熱は、前記流動層材料の外部循環に関して、前記流動層過熱器（２）で又はその前で、且つ前記流動層材料が前記炉（１０）を出た後に行われる、請求項１に記載の方法。
【請求項３】
前記流動層材料の追加の加熱は、前記流動層材料の外部循環に関して、前記流動層過熱器（２）で又はその前であるが、前記流動層材料をループシール熱交換器チャンバ（１）に入れる入口より前ではないところで行われる、請求項１に記載の方法。
【請求項４】
前記流動層材料の追加の加熱は、前記可燃性ガスを前記炉（１０）の外部の前記流動層材料に噴射することによる、可燃性ガスの燃焼によってもたらされ、
前記可燃性ガスは、該可燃性ガスが、前記可燃性ガスを点火するのに必要な最小温度以上の温度を有する前記流動層材料に接触したときに、前記流動層材料によって点火される、請求項１に記載の方法。
【請求項５】
前記流動層材料の追加の加熱は、前記ループシール熱交換器チャンバ（１）で行われる、請求項３に記載の方法。
【請求項６】
前記可燃性ガスは、ループシール熱交換器チャンバ（１）内のガス噴射ノズル（１１１）によって前記流動層材料に噴射される、請求項４又は５に記載の方法。
【請求項７】
前記流動層材料の追加の加熱は、燃焼チャンバ（１６）で行われ、該燃焼チャンバ（１６）は、前記ループシール熱交換器チャンバ（１）と前記燃焼チャンバ（１６）との間に前記流動層材料の循環が存在するように前記ループシール熱交換器チャンバ（１）に隣接して配置される、請求項３に記載の方法。
【請求項８】
前記可燃性ガスは、燃焼チャンバ（１６）内のガス噴射ノズル（１１１）によって前記流動層材料に噴射される、請求項４又は７に記載の方法。
【請求項９】
前記流動層材料の追加の加熱は、前記流動層過熱器（２）を収容し、且つ前記炉（１０）に隣接して配置される熱交換器チャンバ（２００）で行われ、前記可燃性ガスは、前記熱交換器チャンバ（２００）内のガス噴射ノズル（１１１）によって前記流動層材料に噴射される、請求項２に記載の方法。
【請求項１０】
前記流動層材料の追加の加熱は、ディップレッグ（１００）と熱交換器チャンバ（２００）との間に配置されるガスロック（２０２）で行われ、前記熱交換器チャンバ（２００）は、前記流動層過熱器（２）を収容し、且つ前記炉（１０）に隣接して配置される、請求項２に記載の方法。
【請求項１１】
前記可燃性ガスは、ガスロック（２０２）内のガス噴射ノズル（１１１）によって前記流動層材料に噴射される、請求項４又は１０に記載の方法。
【請求項１２】
前記流動層材料の追加の加熱は、少なくとも１つの過熱器（２）を収容し、且つ過熱器のないループシールチャンバ（３００）に隣接して配置される熱交換器チャンバ（３２０）で行われる、請求項２に記載の方法。
【請求項１３】
前記可燃性ガスは、熱交換器チャンバ（３２０）内のガス噴射ノズル（１１１）によって前記流動層材料に噴射される、請求項４又は１２に記載の方法。
【請求項１４】
前記可燃性ガスの燃焼は、前記流動層材料の流動化をもたらすために必要な流動化ガスに酸素を供給することによりもたらされる、請求項１乃至１３のいずれか一項に記載の方法。
【請求項１５】
前記炉（１０）の外部の前記流動層材料の流動化をもたらすために、流動化ガスが供給され、前記可燃性ガスは、ライン（４２）を介して燃料源（６）によって供給され、前記ガス噴射ノズル（１１１）を用いて噴射される、請求項６、８、９、１１、又は１３に記載の方法。
【請求項１６】
前記流動層材料の追加の加熱は、前記可燃性ガスを前記炉（１０）の外部の前記流動層材料内に又はその近くでバーナーにより燃焼させることによってもたらされる、請求項１乃至１５のいずれか一項に記載の方法。
【請求項１７】
システムであって、当該システムは、
蒸気タービン（３）と、
炉（１０）と、熱エネルギーを前記炉の外部の流動層材料から蒸気に移動させることにより前記蒸気タービン（３）に供給される蒸気を過熱するように適合された流動層過熱器（２）とを含む循環型流動層ボイラー（１２）と、を有しており、
当該システムは、制御ユニット（２３）をさらに有しており、
該制御ユニット（２３）は、
当該システムを構成する発電所のトリガー負荷（ＷＴＲ）の設定値を受信することであって、前記トリガー負荷（ＷＴＲ）は、前記発電所の最大定格負荷（ＷＦ）よりも小さく、前記発電所の実行可能な最小定格負荷（ＷＭＶ）より大きい、受信することと、
前記発電所の負荷（Ｗ）を決定することと、
前記発電所の前記負荷（Ｗ）が前記トリガー負荷（ＷＴＲ）を下回っている場合に、前記蒸気タービン（３）に入る蒸気の温度（Ｔ）がその最大温度（ＴＦ）に又はその近くに維持されるように、ａ）：可燃性ガスの前記炉（１０）の外部の前記流動層材料への噴射、又はｂ）：前記炉（１０）の外部の前記流動層材料内で又はその近くで１つ又は複数のバーナーを用いた可燃性ガスの燃焼、又はｃ）：ａ）とｂ）との両方を制御することと、を行うように適合され、
ａ）において、前記炉（１０）の前記流動層材料の追加の加熱は、前記流動層材料に噴射される前記可燃性ガスの燃焼によってもたらされ、前記可燃性ガスは、該可燃性ガスが、前記可燃性ガスを点火するのに必要な最小温度以上の温度を有する前記流動層材料に接触したときに、前記流動層材料によって点火される、
システム。
【請求項１８】
当該システムは、ループシール熱交換器チャンバ（１）をさらに含み、該ループシール熱交換器チャンバ（１）には、前記可燃性ガスを前記流動層材料に噴射するように適合されたガス噴射ノズル（１１１）が設けられる、請求項１７に記載のシステム。
【請求項１９】
当該システムは、
ループシール熱交換器チャンバ（１）と燃焼チャンバ（１６）との間で流動層材料の循環が存在するように前記ループシール熱交換器チャンバ（１）に隣接して配置された燃焼チャンバ（１６）と、
前記可燃性ガスを前記流動層材料に噴射するように適合された前記燃焼チャンバ（１６）内のガス噴射ノズル（１１１）と、をさらに含む、請求項１７に記載のシステム。
【請求項２０】
当該システムは、
前記流動層過熱器（２）を収容し、且つボイラー（１０）に隣接して配置される熱交換器チャンバ（２００）と、
前記可燃性ガスを前記流動層材料に噴射するように適合された前記熱交換器チャンバ（２００）内のガス噴射ノズル（１１１）と、をさらに含む、請求項１７に記載のシステム。
【請求項２１】
当該システムは、
前記流動層過熱器（２）を収容し、且つボイラー（１０）に隣接して配置される熱交換器チャンバ（２００）と、
ディップレッグ（１００）と前記熱交換器チャンバ（２００）との間にあるガスロック（２０２）と、
前記可燃性ガスを前記流動層材料に噴射するように適合された前記ガスロック（２０２）内のガス噴射ノズル（１１１）と、をさらに含む、請求項１７に記載のシステム。
【請求項２２】
当該システムは、
少なくとも１つの過熱器（２）を収容し、且つ過熱器のないループシールチャンバ（３００）に隣接して配置される熱交換器チャンバ（３２０）と、
前記可燃性ガスを前記流動層材料に噴射するように適合された前記熱交換器チャンバ（３２０）内のガス噴射ノズル（１１１）と、をさらに含む。請求項１７に記載のシステム。
【請求項２３】
当該システムは、前記流動層材料内又はその近傍の１つ又は複数のバーナーをさらに含み、該バーナーは、前記可燃性ガスを、ループシール熱交換器チャンバ（１）内で、又は燃焼チャンバ（１６）内で、又は熱交換器チャンバ（２００）内で、又はガスロック（２０２）内で、又は熱交換器チャンバ（３２０）内で燃焼させるように適合される、請求項１７乃至２２のいずれか一項に記載のシステム。
【請求項２４】
当該システムは、
前記前記流動層材料内又はその近傍の１つ又は複数のバーナーであって、可燃性ガスを前記ループシール熱交換器チャンバ（１）内で燃焼させるように適合される１つ又は複数のバーナーと、
プレナム（１０６ｅ〜ｆ）に設置され、空気又は不燃性ガスを供給するように適合されたたノズル（１１０）であって、前記ループシール熱交換器チャンバ（１）内の前記流動層材料の循環が調整可能である、ノズル（１１０）と、をさらに含む、
請求項１８に記載のシステム。
【請求項２５】
当該システムは、
生成ガスを生成するように適合されたガス化装置（４）と、
前記生成ガスを前記ガス化装置（４）からａ）：噴射するためのガス噴射ノズル（１１１）に、又はｂ）：前記可燃性ガスとして燃焼させるための１つ又は複数のバーナーに、又はｃ）：a）及びｂ）に輸送するように適合されたライン（４０、４１、４２）と、をさらに含む、請求項１８乃至２４のいずれか一項に記載のシステム。